(57)【要約】【課題】球詰まりを防止すると共に装置の構成を簡単にして、一対の可動翼片が起立状態にあるときの遊技球の入賞と、傾倒状態にあるときの遊技球の入賞とを確実に区別できる遊技球入賞装置を提供すること。【解決手段】遊技球入賞装置１は、起立状態２０１と傾倒状態２０２とを形成するよう回動可能な一対の可動翼片２と、一対の可動翼片２間に入った遊技球８を流下させる球通路部３と、一対の可動翼片２の回動動作を規制する回転体４とを有している。球通路部３は、起立状態２０１にある一対の可動翼片２間に入った遊技球８を流下させる上側球通路３１と、傾倒状態２０２にある一対の可動翼片２同士の間に入った遊技球８を流下させる下側球通路３２とからなる。一対の可動翼片２は、互いに対向する各対向面２１に、起立状態２０１にある当該一対の可動翼片２間に入った遊技球８を上側球通路３１へ導くための案内突起２２をそれぞれ有している。【選択図】図１
2006025996.tif 000002
【特許請求の範囲】
【請求項１】
起立状態と傾倒状態とを形成するよう回動可能な一対の可動翼片と、
該一対の可動翼片同士の間に入った遊技球を流下させる球通路部と、
上記一対の可動翼片が上記傾倒状態になることを阻止する傾倒阻止回転位置と、上記一対の可動翼片が上記傾倒状態になることを許容する傾倒許容回転位置とに回転可能な回転体とを有する遊技球入賞装置において、
上記球通路部は、上記起立状態にある上記一対の可動翼片同士の間に入った遊技球を流下させる上側球通路と、上記傾倒状態にある上記一対の可動翼片同士の間に入った遊技球を流下させる下側球通路とからなり、
上記上側球通路の後端部には、該上側球通路内を流下する遊技球の自重を受けて回動し、上記回転体を押圧して上記傾倒阻止回転位置から上記傾倒許容回転位置へ回転させるレバー部材が配設されており、
上記一対の可動翼片は、互いに対向する各対向面に、上記起立状態にある当該一対の可動翼片同士の間に入った遊技球を上記上側球通路へ導くための案内突起をそれぞれ有していることを特徴とする遊技球入賞装置。
【請求項２】
請求項１において、上記起立状態にある上記一対の可動翼片における上記各案内突起は、前方から後方に向かって下降する突起形状を有していることを特徴とする遊技球入賞装置。
【請求項３】
請求項１又は２において、上記傾倒状態にある上記一対の可動翼片における上記各対向面は、上記各案内突起の下方に、遊技球を２個以上受けることができる球受け凹部を形成するよう構成されていることを特徴とする遊技球入賞装置。
【請求項４】
請求項３において、上記一対の可動翼片は、上記球受け凹部内に流下した遊技球の自重を受けて起立する方向に回動することにより、上記各対向面の下端部同士の間の間隔を広げて、上記下側球通路へ遊技球を導くよう構成されており、
また、上記一対の可動翼片は、上記各案内突起の形成位置よりも下側の位置に、回動を行う支点となる回動支点部をそれぞれ有していると共に、上記各対向面における下部に、遊技球の流下を案内するための案内溝をそれぞれ有しており、該各案内溝は、その長さが互いに異なっていることを特徴とする遊技球入賞装置。
【発明の詳細な説明】
【技術分野】
【０００１】
本発明は、パチンコ遊技機、アレンジボール遊技機等において、一対の可動翼片同士の間に遊技球を入賞させることができる遊技球入賞装置に関する。
【背景技術】
【０００２】
例えば、パチンコ遊技機においては、遊技者がパチンコ遊技を行う遊技盤の前面には、一対の可動翼片の間に遊技球を入賞させることができる遊技球入賞装置が複数設けられている。この遊技球入賞装置としては、例えば、特許文献１に示す可変入賞装置がある。
特許文献１における可変入賞装置は、起立及び傾動自在な一対の可動翼片と、遊技球と接触して各可動翼片を一回起立させると共に複数回傾動させる回転体と、この回転体を回転させて、起立した状態の各可動翼片を傾動させるレバー片とを有している。また、回転体の上方部には、起立した状態の可動翼片間に入る遊技球を、レバー片上に導く球誘導板が回動自在に設けられている。この球誘導板には、回転体に設けた円形カムにおける凹部と係合する凸部が設けられている。
【０００３】
そして、起立した状態の可動翼片間に入った遊技球は、上記球誘導板上を流下してレバー片における球受部に落下し、レバー片は遊技球の自重により回動する。このとき、レバー片における腕片が回転体を回転させ、各可動翼片は起立状態から傾動状態へ傾動する。
また、このとき、球誘導板における凸部は、円形カムにおける凹部から押し出され、球誘導板は、傾動状態にある一対の可動翼片間に入る遊技球が接触しない位置に保持される。そして、その後は、傾動状態にある一対の可動翼片間に遊技球が入る毎に、回転体が所定角度ずつ回転し、所定数の遊技球が可変入賞装置に入賞した後に、再び一対の可動翼片が起立状態に復帰する。
これにより、例えば、起立状態の可動翼片間に、２個の遊技球が連続して入るようなことがあっても、傾動状態の可動翼片間には、常に正確に所定個数の遊技球を入賞させることができる。
【０００４】
しかしながら、上記特許文献１の可変入賞装置においては、起立状態の可動翼片間に入った遊技球を、回動自在にした球誘導板によりレバー片上に導いている。また、この球誘導板は、一対の可動翼片が傾動状態にあるときに、遊技球が接触しない位置に保持する必要がある。そのため、装置全体の構成が複雑になってしまう。
また、球誘導板が回動したときには、遊技球が流下する通路を狭くすることになり、起立状態の可動翼片間に遊技球が２個以上連続して入った場合には、球詰まりが発生するおそれがある。
【０００５】
【特許文献１】特開２０００−２７９５８４号公報
【発明の開示】
【発明が解決しようとする課題】
【０００６】
本発明は、かかる従来の問題点に鑑みてなされたもので、球詰まりを防止すると共に装置の構成を簡単にして、一対の可動翼片が起立状態にあるときの遊技球の入賞と、傾倒状態にあるときの遊技球の入賞とを確実に区別することができる遊技球入賞装置を提供しようとするものである。
【課題を解決するための手段】
【０００７】
本発明は、起立状態と傾倒状態とを形成するよう回動可能な一対の可動翼片と、
該一対の可動翼片同士の間に入った遊技球を流下させる球通路部と、
上記一対の可動翼片が上記傾倒状態になることを阻止する傾倒阻止回転位置と、上記一対の可動翼片が上記傾倒状態になることを許容する傾倒許容回転位置とに回転可能な回転体とを有する遊技球入賞装置において、
上記球通路部は、上記起立状態にある上記一対の可動翼片同士の間に入った遊技球を流下させる上側球通路と、上記傾倒状態にある上記一対の可動翼片同士の間に入った遊技球を流下させる下側球通路とからなり、
上記上側球通路の後端部には、該上側球通路内を流下する遊技球の自重を受けて回動し、上記回転体を押圧して上記傾倒阻止回転位置から上記傾倒許容回転位置へ回転させるレバー部材が配設されており、
上記一対の可動翼片は、互いに対向する各対向面に、上記起立状態にある当該一対の可動翼片同士の間に入った遊技球を上記上側球通路へ導くための案内突起をそれぞれ有していることを特徴とする遊技球入賞装置にある（請求項１）。
【０００８】
以下に、上記遊技球入賞装置の動作状態及び作用効果を説明する。
上記遊技球入賞装置は、上記一対の可動翼片が起立状態にあるときには、上記回転体が傾倒阻止回転位置にあり、一対の可動翼片は、回転体によって傾倒状態になることを阻止されている。
そして、起立状態にある一対の可動翼片同士の間に遊技球が入ったときには、この遊技球は、各可動翼片に設けられた案内突起によって上側球通路に導かれる。次いで、上側球通路内を流下した遊技球は、上記レバー部材へと流下する。このとき、このレバー部材は、遊技球の自重を受けて回動し、上記回転体を押圧する。これにより、この回転体が、傾倒阻止回転位置から傾倒許容回転位置へ回転し、回転体と一対の可動翼片との係合が外れる。こうして、一対の可動翼片が、起立状態から傾倒状態に回動する。
【０００９】
次いで、傾倒状態にある一対の可動翼片同士の間に遊技球が入ったときには、この遊技球は、下側球通路に導かれる。そして、この遊技球は、回転体を回転させながら下側球通路内を流下することができる。そして、所定数の遊技球が下側球通路内を流下すると、回転体が傾倒許容回転位置から傾倒阻止回転位置に復帰し、一対の可動翼片は傾倒状態から起立状態に復帰する。
このようにして、一対の可動翼片は、起立状態と傾倒状態とを繰り返し形成することができ、上記遊技球入賞装置は、繰り返し遊技球を入賞させることができる。
【００１０】
上記のごとく、上記球通路部は上側球通路と下側球通路とに分けて形成されており、起立状態にある一対の可動翼片同士の間に入った遊技球は、上記案内突起によって上側球通路に導かれ、一方、傾倒状態にある一対の可動翼片同士の間に入った遊技球は下側球通路に導かれる。
【００１１】
そして、上側球通路内を流下する又は流下した遊技球の数と、下側球通路内を流下する又は流下した遊技球の数とを別々にカウントすることにより、一対の可動翼片同士の間に入った（入賞した）遊技球が、起立状態において入ったのか、又は傾倒状態において入ったのかを確実に区別して検出することができる。
そのため、遊技球入賞装置を遊技機に配設して動作させる際に、この遊技機は、起立状態において入賞した遊技球に対する払出賞球数と、傾倒状態において入賞した遊技球に対する払出賞球数とを確実に区別して、遊技球の賞球払出を行うことができる。
【００１２】
また、上記のごとく、起立状態にある一対の可動翼片同士の間に入った遊技球は、各可動翼片にそれぞれ設けた案内突起によって上側球通路に導かれる。これにより、上側球通路及び下側球通路はそれぞれ固定して形成することができ、遊技球が流下する際にいずれかの球通路が狭くなってしまうことがない。そのため、各球通路に、円滑に遊技球を流下させることができ、球詰まりが発生することを防止することができる。また、各球通路を可動させる必要がなく、装置の構成を簡単にすることができる。
【００１３】
それ故、本発明の遊技球入賞装置によれば、球詰まりを防止すると共に装置の構成を簡単にして、一対の可動翼片が起立状態にあるときの遊技球の入賞と、傾倒状態にあるときの遊技球の入賞とを確実に区別することができる。
【発明を実施するための最良の形態】
【００１４】
上述した本発明における好ましい実施の形態につき説明する。
本発明において、上記起立状態にある上記一対の可動翼片における上記各案内突起は、前方から後方に向かって下降する突起形状を有していることが好ましい（請求項２）。
この場合には、起立状態にある一対の可動翼片同士の間に入った遊技球を、上記案内突起によって一層円滑に上記上側球通路へ導くことができる。
【００１５】
また、上記傾倒状態にある上記一対の可動翼片における上記各対向面は、上記各案内突起の下方に、遊技球を２個以上受けることができる球受け凹部を形成するよう構成することが好ましい（請求項３）。
この場合には、傾倒状態にある一対の可動翼片同士の間に２個の遊技球が入ったときでも、この２個の遊技球が上記球受け凹部内に入ることができる。これにより、傾倒状態にある一対の可動翼片同士の間に入った２個の遊技球が、各可動翼片における案内突起同士の間に引っ掛かって、流下しない釣り合い状態を形成してしまうことを防止することができる。そのため、一対の可動翼片同士の間において、球詰まりが発生することを効果的に防止することができる。
【００１６】
また、上記一対の可動翼片は、上記球受け凹部内に流下した遊技球の自重を受けて起立する方向に回動することにより、上記各対向面の下端部同士の間の間隔を広げて、上記下側球通路へ遊技球を導くよう構成されており、また、上記一対の可動翼片は、上記各案内突起の形成位置よりも下側の位置に、回動を行う支点となる回動支点部をそれぞれ有していると共に、上記各対向面における下部に、遊技球の流下を案内するための案内溝をそれぞれ有しており、該各案内溝は、その長さが互いに異なっていることが好ましい（請求項４）。
【００１７】
この場合には、一方の可動翼片の対向面における案内溝の長さと、他方の可動翼片の対向面における案内溝の長さとを異ならせている。
そして、上記球受け凹部内に入った遊技球は、上記対向面における案内溝に落下し、一対の可動翼片を起立する方向に回動させながら、下側球通路へと流下する。このとき、特に、球受け凹部内に２個の遊技球が入ったときには、短い方の案内溝を有する一方の可動翼片に接触する一方の遊技球が当該案内溝に落下するよりも先に、長い方の案内溝を有する他方の可動翼片に接触する他方の遊技球が当該案内溝に落下する。そのため、この長い方の案内溝に落下した他方の遊技球が、一方の遊技球よりも先に下側球通路へ流下することができる。これにより、一対の可動翼片同士の間において、球詰まりが発生することを一層効果的に防止することができる。
【００１８】
また、上記一対の可動翼片の上端から下端までの長さを互いに略同一とし、各可動翼片における回動支点部の上下方向の形成位置は、互いに略同一であることが好ましい。これにより、球詰まりの発生を一層効果的に防止すると共に、各可動翼片の安定して起立状態と傾倒状態との間で回動させることができる。
【実施例】
【００１９】
以下に、本発明の遊技球入賞装置にかかる実施例につき、図面と共に説明する。
（実施例１）
本例の遊技球入賞装置１は、図１〜図６に示すごとく、起立状態２０１と傾倒状態２０２とを形成するよう回動可能な一対の可動翼片２と、この一対の可動翼片２同士の間に入った遊技球８を流下させる球通路部３と、一対の可動翼片２の回動動作を規制する回転体４とを有している。
上記回転体４は、図１、図３、図５に示すごとく、一対の可動翼片２が傾倒状態２０２になることを阻止する傾倒阻止回転位置４０１と、図２、図４、図６に示すごとく、一対の可動翼片２が傾倒状態２０２になることを許容する傾倒許容回転位置４０２とに回転可能である。
【００２０】
また、図１、図２に示すごとく、上記球通路部３は、起立状態２０１にある一対の可動翼片２同士の間に入った遊技球８を流下させる上側球通路３１と、傾倒状態２０２にある一対の可動翼片２同士の間に入った遊技球８を流下させる下側球通路３２とからなる。また、上側球通路３１の後端部には、回動可能なレバー部材５が配設されている。このレバー部材５は、上側球通路３１内を流下する遊技球８の自重を受けて回動し、回転体４を押圧して傾倒阻止回転位置４０１から傾倒許容回転位置４０２へ回転させるよう構成されている。
【００２１】
また、図５、図６に示すごとく、一対の可動翼片２は、互いに対向する各対向面２１に、起立状態２０１にある当該一対の可動翼片２同士の間に入った遊技球８を上側球通路３１へ導くための案内突起２２をそれぞれ有している。
以下に、これを詳説する。
【００２２】
図１〜図６に示すごとく、本例の遊技球入賞装置１は、パチンコ遊技機に用いるものであり、パチンコ遊技機においてパチンコ遊技を行う遊技領域を形成する遊技盤の前面に配設される。遊技球入賞装置１は、一対の可動翼片２、回転体４及びレバー部材５を配設してなるケース１１を有している。一対の可動翼片２はケース１１の前面側に配設されており、回転体４及びレバー部材５はケース１１内に配設されている。また、球通路部３としての上側球通路３１及び下側球通路３２は、ケース１１内に形成されている。
【００２３】
また、図１、図２に示すごとく、上側球通路３１は、起立状態２０１にある一対の可動翼片２における案内突起２２の後方から形成されており、下側球通路３２は、上側球通路３１の下方に形成されていると共に、一対の可動翼片２の下方から形成されている。
また、ケース１１には、遊技球入賞装置１を遊技盤の前面に取り付けるための取付部１１１が形成されている。
【００２４】
また、図示は省略するが、本例においては、上側球通路３１内を流下する遊技球８の数と、下側球通路３２内を流下する遊技球８の数とをそれぞれ正確にカウントするために、上側球通路３１又はこれに連通させた通路、並びに下側球通路３２又はこれに連通させた通路には、球検出センサを配設している。
【００２５】
上記一対の可動翼片２は、それらの間に遊技球入賞装置１における入賞口２０を形成しており、図３、図５に示すごとく、起立した状態で入賞口２０の閉状態２０１を形成し、図４、図６に示すごとく、傾倒した状態で入賞口２０の開状態２０２を形成する。以下に、一対の可動翼片２が起立状態２０１にあるときを入賞口２０の閉状態２０１といい、一対の可動翼片２が傾倒状態２０２にあるときを入賞口２０の開状態２０２ということがある。
【００２６】
図５に示すごとく、上記案内突起２２同士の間の間隔Ｘは、当該一対の可動翼片２が起立状態２０１にあるときに、その上端部においては遊技球８の球径よりも大きくなっていると共に、その下部においては遊技球８の球径よりも小さくなっている。なお、各可動翼片２は、後述する接触突起部２４と回転体４の可動翼片用接触片４１との間に生ずる隙間等によって、多少のガタツキを有しており、このガタツキにより若干傾倒して上記起立状態２０１を形成する。
【００２７】
また、図５、図７に示すごとく、上記一対の可動翼片２における各案内突起２２は、起立状態２０１にあるときに、前方から後方に向かって下降する突起形状を有している。起立状態２０１にある一対の可動翼片２は、各案内突起２２同士の間に、遊技球８を上側球通路３１へ導くための案内通路２６を形成するよう構成されている（図３参照）。
また、図５に示すごとく、各可動翼片２における対向面２１には、起立状態２０１において、その下部に略垂直な基準面２１２が形成されており、その上部に基準面２１２よりも突出した案内突起２２が形成されている。
【００２８】
また、図６に示すごとく、傾倒状態２０２にある一対の可動翼片２における各対向面２１は、各案内突起２２の下方に、遊技球８を２個以上受けることができる球受け凹部２５を形成するよう構成されている。これにより、傾倒状態２０２にある一対の可動翼片２同士の間に２個の遊技球８が入ったときでも、この２個の遊技球８が球受け凹部２５内に入ることができ、この２個の遊技球８が、各可動翼片２における案内突起２２同士の間に引っ掛かって、流下しない釣り合い状態を形成してしまうことを防止することができる。そのため、一対の可動翼片２同士の間において、球詰まりが発生することを効果的に防止することができる。
【００２９】
また、図６に示すごとく、本例の球受け凹部２５は、各対向面２１における基準面２１２によって形成されている。また、一対の可動翼片２は、傾倒状態２０２において形成された球受け凹部２５内に流下した遊技球８の自重を受けて起立する方向に回動することにより、各対向面２１の下端部２１１同士の間の間隔を広げて、下側球通路３２へ遊技球８を導くよう構成されている。また、一対の可動翼片２は、各案内突起２２の形成位置よりも下側の位置に、回動を行う支点となる回動支点部２３をそれぞれ有している。
【００３０】
また、図２、図５、図７に示すごとく、各対向面２１における基準面２１２には、遊技球８の流下を案内するための案内溝２１３が形成されている。この案内溝２１３は、回動支点部２３の近傍から対向面２１における下端部２１１まで形成されている。また、各可動翼片２の裏面側には、回転体４と接触することができる接触突出部２４がそれぞれ形成されている。
【００３１】
図１、図７に示すごとく、上記回転体４は、各可動翼片２の接触突出部２４にそれぞれ接触することができる一対の可動翼片用接触片４１を有している。各可動翼片用接触片４１は、各可動翼片２における接触突出部２４と接触して、各可動翼片２が傾倒状態２０２になることを阻止すると共に、各可動翼片２における接触突出部２４と接触して、各可動翼片２を傾倒状態２０２から起立状態２０１に起立させるよう構成されている。
また、回転体４は、上記レバー部材５に接触することができるレバー部材用接触片４２を有している。このレバー部材用接触片４２は、上記レバー部材５に押圧されて、当該回転体４を回転させるよう構成されている。
【００３２】
また、図１、図９に示すごとく、回転体４は、上記下側球通路３２内を流下する遊技球８に接触することができる球用接触片４３を有している。この球用接触片４３は、下側球通路３２内に突出するよう形成されており、下側球通路３２内を流下する遊技球８に押圧されて、当該回転体４を回転させるよう構成されている。
また、図１０に示すごとく、本例のレバー部材用接触片４２は、下側球通路３２内を流下する遊技球８に接触することができるよう構成されている。
【００３３】
また、図７〜図１０に示すごとく、回転体４は、回転規制部材４５によって、回転が規制されており、所定の回転位置で止まるよう構成されている。本例の回転規制部材４５は、板バネ部材４５であり、回転体４と接触して回転体４が自由に回転してしまうことを規制するよう構成されている。
また、図１、図７に示すごとく、回転体４は、各可動翼片２が起立状態２０１にあるときに、下側球通路３２内に突出する補助片４４を有している。この補助片４４は、遊技球８と接触することはないが、回転規制部材４５と接触して回転体４の自由な回転を規制する際に使用される。
【００３４】
また、図７に示すごとく、本例の回転体４は、３つの回転位置において停止するよう構成されており、約１２０°ずつ回転して停止するよう構成されている。すなわち、回転体４には、レバー部材用接触片４２、球用接触片４３及び補助片４４の３つが円周方向において約１２０°ずつ間隔をおいて形成されている。また、可動翼片用接触片４１は、回転体４の円周方向における一部に形成されている。
【００３５】
そして、回転体４は、図７に示すごとく、各可動翼片用接触片４１が各可動翼片２における接触突出部２４に接触し、各可動翼片２が傾倒状態２０２になることを阻止する傾倒阻止回転位置４０１と、図８〜図１０に示すごとく、各球用接触片４３が下側球通路３２内を流下する遊技球８と接触する２つの傾倒許容回転位置４０２（第１傾倒許容回転位置４０２Ａ及び第２傾倒許容回転位置４０２Ｂ）とに回転可能である。
【００３６】
図１、図７に示すごとく、上記レバー部材５は、その回動支点となる回動支点部５３と、上側球通路３１内を流下する遊技球８を受け止めるための球受部５１と、回転体４におけるレバー部材用接触片４２を押圧するための押圧部５２とを有している。球受部５１と押圧部５２とは、回動支点部５３に対して互いに反対側に形成されている。また、球受部５１は、上側球通路３１の後端部に配置されており、押圧部５２は、回転体４におけるレバー部材用接触片４２と接触することができる位置に形成されている。
【００３７】
また、レバー部材５の上方には、このレバー部材５と係合してレバー部材５の回動を規制することができる回動ロック部材６が配設されている。この回動ロック部材６は、回動支点部６３を中心に回動可能であり、上側球通路３１内に突出し、上側球通路３１内を流下する遊技球８と接触することができる接触突起部６１と、レバー部材５と接触してレバー部材５が回動することを阻止することができる回動阻止部６２とを有している。
【００３８】
以下に、上記遊技球入賞装置１の動作状態及び作用効果を説明する。
図１、図７に示すごとく、上記遊技球入賞装置１は、上記一対の可動翼片２が起立状態２０１にあるときには、上記回転体４が傾倒阻止回転位置４０１にあり、一対の可動翼片２は、回転体４によって傾倒状態２０２になることを阻止されている。
すなわち、このときには、各可動翼片２は、その接触突出部２４が回転体４における可動翼片用接触片４１に接触していることにより起立状態２０１が保持されており、自重により傾倒状態２０２になることが阻止されている。また、回転体４は、回転規制部材（板バネ部材）４５によって、振動等の外部からの衝撃によって自由に回転してしまうことが防止されている。また、レバー部材５は、回動ロック部材６によって、上側球通路３１内を流下する遊技球８ではなく、外部からの力により故意に回動させることができなくなっている。
【００３９】
そして、図８に示すごとく、閉状態２０１の入賞口２０、すなわち起立状態２０１にある一対の可動翼片２同士の間に遊技球８が入ったときには、この遊技球８は、各可動翼片２に設けられた案内突起２２によって上側球通路３１に導かれる。次いで、上側球通路３１内を流下する遊技球８は、上側球通路３１内に突出する回動ロック部材６における接触突起部６１に接触し、回動ロック部材６を回動させた後、レバー部材５における球受部５１に載置される。これにより、回動ロック部材６における回動阻止部６２とレバー部材５との係合状態が外れ、球受部５１に載置された遊技球８の自重によりレバー部材５が回動する。
【００４０】
この回動のとき、レバー部材５における押圧部５２が、回転体４におけるレバー部材用接触片４２を押圧し、また、レバー部材５における球受部５１に保持した遊技球８が排出される。これにより、回転体４が、回転規制部材４５の付勢力に抗して、傾倒阻止回転位置４０１から第１傾倒許容回転位置４０２Ａへ回転する。そして、回転体４における各可動翼片用接触片４１と、各可動翼片２における接触突出部２４との接触状態が外れ、各可動翼片２が、自重により起立状態２０１から傾倒状態２０２に回動する。
こうして、入賞口２０の開状態２０２、すなわち一対の可動翼片２の傾倒状態２０２が形成され、また、下側球通路３２内には、回転体４における球用接触片４３が突出する。
【００４１】
次いで、図２、図９に示すごとく、開状態２０２の入賞口２０、すなわち傾倒状態２０２にある一対の可動翼片２同士の間に遊技球８が入ったときには、この遊技球８は、各可動翼片２における対向面２１によって形成された球受け凹部２５に接触する。そして、遊技球８は、各対向面２１の下端部２１１同士の間の間隔を広げるように、一旦各可動翼片２を起立させる方向に回動させながら一対の可動翼片２同士の間を通過し、下側球通路３２へ流下する。
このとき、下側球通路３２内を流下する遊技球８は、回転体４における球用接触片４３に接触し、回転体４を回転させながら流下する。そして、図１０に示すごとく、回転体４は、第２傾倒許容回転位置４０２Ｂへ回転し、下側球通路３２内には、回転体４におけるレバー部材用接触片４２が突出する。
【００４２】
そして、図１０に示すごとく、開状態２０２の入賞口２０に再び遊技球８が入ると、この遊技球８がレバー部材用接触片４２に接触して回転体４を回転させながら下側球通路３２内を流下する。これにより、回転体４が第２傾倒許容回転位置４０２Ｂから傾倒阻止回転位置４０１に復帰し、入賞口２０は開状態２０２から閉状態２０１になり、一対の可動翼片２は傾倒状態２０２から起立状態２０１に復帰する。
このようにして、一対の可動翼片２により形成された入賞口２０は、閉状態２０１と開状態２０２とを繰り返し形成することができ、遊技球入賞装置１は、繰り返し遊技球８を入賞させることができる。
【００４３】
上記のごとく、上記球通路部３は上側球通路３１と下側球通路３２とに分けて形成されており、閉状態２０１の入賞口２０に入った遊技球８は、上記案内突起２２によって上側球通路３１に導かれ、一方、開状態２０２にある入賞口２０に入った遊技球８は下側球通路３２に導かれる。
そして、各球検出センサにより、上側球通路３１内を流下する又は流下した遊技球８の数と、下側球通路３２内を流下する又は流下した遊技球８の数とを別々にカウントすることにより、入賞口２０に入った遊技球８が、閉状態２０１において入ったのか、又は開状態２０２において入ったのかを確実に区別して検出することができる。
【００４４】
そのため、遊技球入賞装置１をパチンコ遊技機に配設して動作させる際に、このパチンコ遊技機は、閉状態２０１の入賞口２０に入賞した遊技球８に対する払出賞球数と、開状態２０２の入賞口２０に入賞した遊技球８に対する払出賞球数とを確実に区別して、遊技球８の賞球払出を行うことができる。これにより、閉状態２０１の入賞口２０に入賞した遊技球８に対する払出賞球数と、開状態２０２の入賞口２０に入賞した遊技球８に対する払出賞球数との払出賞球比率を正確に管理することができる。
【００４５】
また、例えば、閉状態２０１の入賞口２０には遊技球８が入賞しにくいため、遊技球８が閉状態２０１の入賞口２０に入ったときの払出賞球数を多くし、開状態２０２の入賞口２０には遊技球８が入賞しやすいため、遊技球８が開状態２０２の入賞口２０に入ったときの払出賞球数は少なくするような遊技構成にした場合でも、正確に賞球払出の制御を行うことができる。
【００４６】
また、上記のごとく、閉状態２０１の入賞口２０に入賞した遊技球８は、各可動翼片２にそれぞれ設けた案内突起２２によって確実に上側球通路３１に導くことができる。これにより、上側球通路３１及び下側球通路３２はそれぞれ固定して形成することができ、遊技球８が流下する際にいずれかの球通路３１又は３２が狭くなってしまうことがない。そのため、各球通路３１、３２に、円滑に遊技球８を流下させることができ、球詰まりが発生することを防止することができる。また、各球通路３１、３２を可動させる必要がなく、装置の構成を簡単にすることができる。
【００４７】
それ故、本例の遊技球入賞装置１によれば、球詰まりを防止すると共に装置の構成を簡単にして、閉状態２０１にある入賞口２０への入賞と開状態２０２にある入賞口２０への入賞とを確実に区別し、正確に賞球払出の制御を行うことができる。
【００４８】
（実施例２）
本例は、図１１、図１２に示すごとく、一対の可動翼片２同士の間において遊技球８の球詰まりが発生することを防止するために、一対の可動翼片２における対向面２１を互いに異なる形状に形成した例である。
すなわち、本例の各可動翼片２の対向面２１における案内溝２１３は、各対向面２１における下端部２１１から上方に向けて形成されている。また、一方の第１可動翼片２Ａにおける案内溝２１３Ａの長さＬ１が、他方の第２可動翼片２Ｂにおける案内溝２１３Ｂの長さＬ２よりも長くなっている。
【００４９】
また、第１可動翼片２Ａの上端から下端（下端部２１１）までの長さと、第２可動翼片２Ｂの上端から下端（下端部２１１）までの長さとが略同一であり、各可動翼片２における回動支点部２３の上下方向の形成位置も、互いに略同一である。そして、各可動翼片２Ａ、Ｂにおける案内溝２１３Ａ、Ｂの長さが互いに異なっていることにより、各回動支点部２３に対する各案内溝２１３Ａ、Ｂの上端の形成位置が互いに異なっている。
【００５０】
図１２に示すごとく、本例における一対の可動翼片２Ａ、Ｂの構造は、球受け凹部２５にほぼ同時に２個の遊技球８が入ったときに特に有効である。すなわち、本例の球受け凹部２５も２個の遊技球８を配置できる形状を有しており、２個の遊技球８が球受け凹部２５内にほぼ同時に入ったときには、この２個の遊技球８が球受け凹部２５内に釣合いをとった状態で引っ掛かってしまうおそれがある。
【００５１】
そして、球受け凹部２５内に２個の遊技球８がほぼ同時に入ったときには、第２可動翼片２Ｂに接触する遊技球８Ｂが短い方の案内溝２１３Ｂに落下するよりも先に、第１可動翼片２Ａに接触する遊技球８Ａが長い方の案内溝２１３Ａに落下する。そのため、この長い方の案内溝２１３Ａに落下した遊技球８Ａが、他方の遊技球８Ｂよりも先に下側球通路３２へ流下することができる。これにより、一対の可動翼片２同士の間において、球詰まりが発生することを一層効果的に防止することができる。
本例においても、その他は上記実施例１と同様であり、上記実施例１と同様の作用効果を得ることができる。
【図面の簡単な説明】
【００５２】
【図１】実施例１における、一対の可動翼片が起立状態にある遊技球入賞装置を示す斜視断面説明図。
【図２】実施例１における、一対の可動翼片が傾倒状態にある遊技球入賞装置を示す斜視断面説明図。
【図３】実施例１における、一対の可動翼片が起立状態にある遊技球入賞装置を示す斜視図。
【図４】実施例１における、一対の可動翼片が傾倒状態にある遊技球入賞装置を示す斜視図。
【図５】実施例１における、一対の可動翼片が起立状態にある遊技球入賞装置を示す正面図。
【図６】実施例１における、一対の可動翼片が傾倒状態にある遊技球入賞装置を示す正面図。
【図７】実施例１における、一対の可動翼片が起立状態にあり、回転体が傾倒阻止回転位置にある遊技球入賞装置を示す正面図。
【図８】実施例１における、レバー部材が回動し、回転体が第１傾倒許容位置に回転して、一対の可動翼片が傾倒状態になった遊技球入賞装置を示す正面図。
【図９】実施例１における、一対の可動翼片が傾倒状態にあり、回転体が第１傾倒許容位置にある遊技球入賞装置を示す正面図。
【図１０】実施例１における、一対の可動翼片が傾倒状態にあり、回転体が第２傾倒許容位置にある遊技球入賞装置を示す正面図。
【図１１】実施例２における、一対の可動翼片が起立状態にある遊技球入賞装置を示す正面図。
【図１２】実施例２における、一対の可動翼片が傾倒状態にある遊技球入賞装置を示す正面図。
【符号の説明】
【００５３】
１  遊技球入賞装置
２  可動翼片
２０１  起立状態（閉状態）
２０２  傾倒状態（開状態）
２０  入賞口
２１  対向面
２１１  下端部
２１２  基準面
２１３  案内溝
２２  案内突起
２３  回動支点部
２４  接触突出部
２５  球受け凹部
３  球通路部
３１  上側球通路
３２  下側球通路
４  回転体
４０１  傾倒阻止回転位置
４０２  傾倒許容回転位置
４１  可動翼片用接触片
４２  レバー部材用接触片
４３  球用接触片
４５  回転規制部材
５  レバー部材
５１  球受部
５２  押圧部
６  回動ロック部材
６１  接触突起部
６２  回動阻止部
８  遊技球
【図１】
2006025996.tif 000003
【図２】
2006025996.tif 000004
【図３】
2006025996.tif 000005
【図４】
2006025996.tif 000006
【図５】
2006025996.tif 000007
【図６】
2006025996.tif 000008
【図７】
2006025996.tif 000009
【図８】
2006025996.tif 000010
【図９】
2006025996.tif 000011
【図１０】
2006025996.tif 000012
【図１１】
2006025996.tif 000013
【図１２】
2006025996.tif 000014